(57)【要約】【課題】  光源ランプが点灯条件を満たさないために不点灯であるのか、ランプ寿命により不点灯であるのかをコストアップ要因無しに行うことが出来る投射型像表示装置、およびその制御方法を提供する。【解決手段】  投射型画像表示装置は、不点灯判別手段と、累積点灯時間判別手段と、システム状態判定手段と、状態通知手段とを備える。不点灯判別手段で不点灯と判別され、累積点灯時間判別手段で累積点灯時間が所定時間以上経過していると判別されたときは、システム状態判定手段において光源ランプ寿命であると判定して光源ランプが寿命であることを通知する。前記累積点灯時間判別手段で累積点灯時間が所定時間以上経過していないと判別されたときは、システム状態判定手段においてシステム異常であると判定してシステム異常であることを通知する。【選択図】      図２
2006243134.tif 000002
【特許請求の範囲】
【請求項１】
光源ランプを使用して画像を投射表示する投射型画像表示装置であって、
光源ランプが点灯しているか否かを判別する不点灯判別手段と、光源ランプの使い初めからの累積点灯時間が所定時間に達しているか否かを判別する累積点灯時間判別手段と、前記不点灯判別手段の判別結果と前記累積点灯時間判別手段の判別結果とから光源ランプを含むシステム状態を判定するシステム状態判定手段と、該システム状態判定手段の判定結果を使用者に通知する状態通知手段とを備え、
前記不点灯判別手段の判別結果で不点灯と判別され、前記累積点灯時間判別手段の判別結果で累積点灯時間が所定時間以上経過していると判別されたときは、前記システム状態判定手段において光源ランプ寿命であると判定して前記状態通知手段で光源ランプが寿命であることを通知し、前記累積点灯時間判別手段の判別結果で累積点灯時間が所定時間以上経過していないと判別されたときは、前記システム状態判定手段においてシステム異常であると判定して前記状態通知手段でシステム異常であることを通知することを特徴とする投射型画像表示装置。
【請求項２】
請求項１記載の投射型画像表示装置において、前記不点灯判別手段の判別結果で不点灯と判別され、前記累積点灯時間判別手段の判別結果で累積点灯時間が所定時間以上経過していないと判別されたときは、一旦冷却動作に移行して前記状態通知手段で冷却動作中であることを通知し、一定時間冷却後に点灯動作を行い、再度前記不点灯判別手段の判別結果で不点灯と判別されたときは、前記システム状態判定手段においてシステム異常であると判定して前記状態通知手段でシステム異常であることを通知することを特徴とする投射型画像表示装置。
【請求項３】
光源ランプを使用して画像を投射表示する投射型画像表示装置の制御方法であって、
光源ランプが点灯しているか否かを判別する不点灯判別ステップと、光源ランプの使い初めからの累積点灯時間が所定時間に達しているか否かを判別する累積点灯時間判別ステップと、前記不点灯判別ステップの判別結果と前記累積点灯時間判別ステップの判別結果とから光源ランプを含むシステム状態を判定するシステム状態判定ステップと、該システム状態判定ステップの判定結果を使用者に通知する状態通知ステップとを備え、
前記不点灯判別ステップの判別結果で不点灯と判別され、前記累積点灯時間判別ステップの判別結果で累積点灯時間が所定時間以上経過していると判別されたときは、前記システム状態判定ステップにおいて光源ランプ寿命であると判定して前記状態通知ステップで光源ランプが寿命であることを通知し、前記累積点灯時間判別ステップの判別結果で累積点灯時間が所定時間以上経過していないと判別されたときは、前記システム状態判定ステップにおいてシステム異常であると判定して前記状態通知ステップでシステム異常であることを通知することを特徴とする投射型画像表示装置の制御方法。
【請求項４】
請求項３記載の投射型画像表示装置の制御方法において、前記不点灯判別ステップの判別結果で不点灯と判別され、前記累積点灯時間判別ステップの判別結果で累積点灯時間が所定時間以上経過していないと判別されたときは、一旦冷却動作に移行して前記状態通知ステップで冷却動作中であることを通知し、一定時間冷却後に点灯動作を行い、再度前記不点灯判別ステップの判別結果で不点灯と判別されたときは、前記システム状態判定ステップにおいてシステム異常であると判定して前記状態通知ステップでシステム異常であることを通知することを特徴とする投射型画像表示装置の制御方法。
【発明の詳細な説明】
【技術分野】
【０００１】
本発明は、光源ランプを使用した投射型画像表示装置およびその制御方法に関し、特にランプ点灯時のシステム制御に使用して好適なものである。
【背景技術】
【０００２】
液晶プロジェクターあるいはＤＬＰプロジェクターといった、いわゆる光源ランプを使用した投射型画像表示装置の光源ランプとしては、メタルハライドランプや高圧水銀ランプなどの空間放電タイプのランプが用いられる。
【０００３】
これら空間放電タイプのランプは、点灯時に高圧のランプ点灯電圧を発生させてランプの両電極に印加することで、例えば、ランプ内に設けられたグロースイッチによりグロー放電を生じさせ、その後発光管内でアーク放電に移行することにより点灯を継続する。
【０００４】
ところで、このような空間放電タイプのランプは、ランプ温度が高く発光管内のガス圧が高い状態では、充満しているガスが放電開始を妨げるために、ランプが冷えているときに比べ、点灯時のグロー放電電位として２倍以上の高い電位が必要となる。従って、ランプ点灯装置から印加されるランプ点灯電圧の電位が不足し、ランプがグロー放電からアーク放電に移行できず立ち切れとなってしまう事がある。
【０００５】
このため、従来投射型画像表示装置では、電源を投入してランプ点灯駆動した時にランプが点灯したか否かの検出を行い、一回の点灯駆動期間でランプが不点灯であった場合、一定の時間を置いて所定回数だけ再度ランプの点灯駆動を行うように構成される。
【０００６】
しかしながら再点灯駆動を行ってもまだ不点灯であった場合、点灯条件が悪いために不点灯なのか、ランプ寿命によって不点灯なのか、またはシステム異常によって不点灯なのか判断がつかず、何度も電源投入操作を行う、あるいはランプ寿命ではないのにランプ交換をしてしまうなどの不都合がある。
【０００７】
この不都合の解決として、特許文献１では、光源ランプの不点灯を検出した場合に再点灯動作を所定回数繰り返し行い、該所定回数の再点灯動作後の初めての検出において不点灯を検出した場合、光源ランプ切れと判断するプロジェクターを開示している。
【０００８】
また、特許文献２では、光源ランプの不点灯を検出すると共に、光源ランプ近傍または光源ランプの温度を検出し、点灯条件が悪いために点灯しないのか、あるいは光源ランプが破損しているために点灯しないのかを切り分けるランプ点灯装置を開示している。すなわち、光源ランプが不点灯でさらに光源ランプ近傍または光源ランプ温度が高い場合は、点灯条件が悪いために不点灯であると判断し、光源ランプが不点灯でさらに光源ランプ近傍または光源ランプ温度が低い場合は、光源ランプ破損によって不点灯であると判断する。
【特許文献１】特許第３０５２３１８号公報
【特許文献２】特開２００３−１９５４１８号公報
【発明の開示】
【発明が解決しようとする課題】
【０００９】
しかしながら、特許文献１で開示されるプロジェクターでは、所定回数の再点灯動作を行ったにも係わらず点灯条件が回復していないために不点灯となる場合も光源ランプ寿命と判断してしまい、結果としてまだ使用可能な光源ランプを交換してしまうという不都合がある。
【００１０】
また、特許文献２で開示される装置では、不点灯検出と共に光源ランプ近傍または光源ランプ温度の検出結果を判断基準に加えているため光源ランプ寿命に対する判断の精度は向上するが、温度検出手段を新たに設けるため光源ランプ近傍に構造上の制約が出来る、あるいはコストアップの要因となるなどの不都合がある。
【００１１】
本発明は以上の点を考慮してなされたもので、その目的は光源ランプが点灯条件を満たさないために不点灯であるのか、ランプ寿命により不点灯であるのかをコストアップ要因無しに行うことが出来る投射型像表示装置、およびその制御方法を提供することである。
【課題を解決するための手段】
【００１２】
本発明は、上記事情を考慮してなされたものであり、光源ランプを使用して画像を投射表示する投射型画像表示装置であって、
光源ランプが点灯しているか否かを判別する不点灯判別手段と、光源ランプの使い初めからの累積点灯時間が所定時間に達しているか否かを判別する累積点灯時間判別手段と、前記不点灯判別手段の判別結果と前記累積点灯時間判別手段の判別結果とから光源ランプを含むシステム状態を判定するシステム状態判定手段と、該システム状態判定手段の判定結果を使用者に通知する状態通知手段とを備え、
前記不点灯判別手段の判別結果で不点灯と判別され、前記累積点灯時間判別手段の判別結果で累積点灯時間が所定時間以上経過していると判別されたときは、前記システム状態判定手段において光源ランプ寿命であると判定して前記状態通知手段で光源ランプが寿命であることを通知し、前記累積点灯時間判別手段の判別結果で累積点灯時間が所定時間以上経過していないと判別されたときは、前記システム状態判定手段においてシステム異常であると判定して前記状態通知手段でシステム異常であることを通知することを特徴とする。
【発明の効果】
【００１３】
本発明によると、光源ランプが点灯条件を満たさないために不点灯であるのか、ランプ寿命により不点灯であるのかをコストアップ要因無しに切り分けて通知することが可能となり、使用者に対する使い勝手を向上した投射型ディスプレイを実現することが出来る。
【発明を実施するための最良の形態】
【００１４】
以下本発明を実施するための最良の形態を、実施例により詳しく説明する。
【実施例】
【００１５】
（実施の形態１）
図１は、本発明の投射型画像表示装置（以下、ディスプレイという）において光源ランプの点灯制御に係わる構成を示す概略ブロック図である。
【００１６】
図１において、ディスプレイ１は、システムコントローラ１０と、ランプ駆動部２０と、光源ランプ３０と、ランプ点灯時間累積タイマ４０と、状態通知手段５０と、電源スイッチ６０とを備える。
【００１７】
図２は、図１に示すディスプレイで実行されるフローチャートである。本処理は、ディスプレイ１のシステムコントローラ１０によって実行される。
【００１８】
ＰｏｗｅｒＬＥＤおよびＳｔａｎｂｙＬＥＤ（状態通知手段５０）がそれぞれ消灯および点灯しているスタンバイ状態にあるディスプレイ１において、電源スイッチ６０のオン操作（ステップＳ１１０）が為されると、ＰｏｗｅｒＬＥＤおよびＳｔａｎｂｙＬＥＤをそれぞれ点滅および消灯すると共にランプ駆動部２０へ点灯開始信号を与えてランプ３０の点灯制御を行い（ステップＳ１２０）、ランプ電圧あるいはランプ電流を監視することでランプ３０が点灯したか否かを判別し（ステップＳ１２１）、ランプ３０が点灯していると判別されれば、ＰｏｗｅｒＬＥＤおよびＳｔａｎｂｙＬＥＤをそれぞれ点灯および消灯（ステップＳ１８０）して処理を終了する。以上の処理は、「ディスプレイの定常起動」として処理される。
【００１９】
ステップＳ１２１の判別の結果、ランプ３０が不点灯と判別されたときは、点灯制御の回数が所定回数ｎ以下であるか否かを判別し（ステップＳ１２２）、所定回数ｎ以下であればステップＳ１２０に戻り、ステップＳ１２１でランプ点灯と判別されるかステップＳ１２２で所定回数ｎを越えると判別されるまでステップＳ１２１およびステップＳ１２２の処理を繰り返し、ステップＳ１２１でランプ３０が点灯していると判別されれば、ＰｏｗｅｒＬＥＤおよびＳｔａｎｂｙＬＥＤをそれぞれ点灯および消灯して処理を終了する。以上の処理は、「ランプ再点灯を含むディスプレイの定常起動」として処理される。
【００２０】
ステップＳ１２２の判別の結果、点灯制御の回数が所定回数ｎ以上であると判別されたときは、ランプ点灯累積時間タイマ４０の計数値を参照することでランプ３０の累積点灯時間が所定時間Ｍ以下であるか否かを判別し（ステップＳ１３０）、所定時間Ｍ以下であると判別されれば、ＰｏｗｅｒＬＥＤおよびＳｔａｎｂｙＬＥＤを同時に点滅させ（ステップＳ１７０）、ディスプレイ１の起動を停止（ステップＳ１９０）する。以上の処理は、「システム異状の通知」として処理される。
【００２１】
ここで、ランプ累積点灯時間を比較する所定時間Ｍは、ランプ寿命時間として設置する。
【００２２】
ステップＳ１３０の判別の結果、ランプ３０の累積点灯時間が所定時間Ｍ以上と判別されれば、ＰｏｗｅｒＬＥＤおよびＳｔａｎｂｙＬＥＤをそれぞれ点滅および点灯し（ステップＳ１６０）、ディスプレイ１の起動を停止（ステップＳ１９０）する。以上の処理は、「ランプ寿命の通知」として処理される。
【００２３】
図３は、状態通知手段５０として、ＰｏｗｅｒＬＥＤおよびＳｔａｎｂｙＬＥＤによるシステム状態の通知状況を示す。図３（ａ）は、ＰｏｗｅｒＬＥＤを消灯およびＳｔａｎｂｙＬＥＤを点灯することで電源投入前のスタンバイ状態を通知する。図３（ｂ）は、ＰｏｗｅｒＬＥＤを点滅およびＳｔａｎｂｙＬＥＤを消灯することで電源投入後のランプ点灯制御状態を通知する。図３（ｃ）は、ＰｏｗｅｒＬＥＤを点灯およびＳｔａｎｂｙＬＥＤを消灯することでシステムの定常動作状態を通知する。図３（ｄ）は、ＰｏｗｅｒＬＥＤを消灯およびＳｔａｎｂｙＬＥＤを点滅することでランプ冷却状態を通知する。図３（ｅ）は、ＰｏｗｅｒＬＥＤおよびＳｔａｎｂｙＬＥＤを共に点滅することでシステム異状状態を通知する。図３（ｆ）は、ＰｏｗｅｒＬＥＤを点滅およびＳｔａｎｂｙＬＥＤを点灯することでランプ寿命状態を通知する。
【００２４】
図２の処理によれば、ディスプレイ１の電源スイッチ６０をオン操作してランプ３０が不点灯であったとき、ランプ寿命によって不点灯なのか、あるいはシステム異状によって不点灯なのかを二つのＬＥＤの点灯あるいは点滅状況で使用者に通知することが出来る。
【００２５】
（実施の形態２）
実施の形態１では、ステップＳ１２０からステップＳ１２２の処理でランプ不点灯と判別され、かつステップＳ１３０でランプ累積点灯時間が所定時間Ｍ以下であると判別されるとステップＳ１７０でシステム異状と通知してディスプレイ１の起動を停止してしまうが、例えば、ランプ消灯直後でランプ温度が十分に低下していないためにステップＳ１２０からステップＳ１２２の処理内でランプ３０が点灯出来ない場合が考えられる。
【００２６】
図４は、実施の形態２で実行されるフローチャートであり、本処理は、ディスプレイ１のシステムコントローラ１０によって実行される。
【００２７】
実施の形態２では、実施の形態１におけるステップＳ１３０の判別の結果、ランプ３０の累積点灯時間が所定時間Ｍ以下と判別さたとき、ＰｏｗｅｒＬＥＤおよびＳｔａｎｂｙＬＥＤをそれぞれ消灯および点滅すると共にランプ３０の冷却を行い（ステップＳ１４０）、所定時間後にＰｏｗｅｒＬＥＤおよびＳｔａｎｂｙＬＥＤをそれぞれ点滅および消灯すると共にランプ点灯制御を行い（ステップＳ１５０）、ランプ３０が点灯したか否かを判別し（ステップＳ１５１）、ランプ３０が点灯していると判別されれば、ＰｏｗｅｒＬＥＤおよびＳｔａｎｂｙＬＥＤをそれぞれ点灯および消灯（ステップＳ１８０）して処理を終了する。以上の処理は、「ランプ冷却を含むディスプレイの定常起動」として処理される。
【００２８】
ステップＳ１５１の判別の結果、ランプ３０が不点灯と判別されたときは、ＰｏｗｅｒＬＥＤおよびＳｔａｎｂｙＬＥＤを同時に点滅させ（ステップＳ１７０）、ディスプレイの起動を停止（ステップＳ１９０）する。以上の処理は、「ランプ冷却を含むシステム異状の通知」として処理される。
【００２９】
図４の処理によれば、ディスプレイ１の電源スイッチ６０をオン操作してランプ３０が不点灯であったとき、ランプ温度が低下していないためにシステム異状と通知されることを防止することが出来る。
【００３０】
なお、実施の形態１および実施の形態２では、状態通知手段５０としてＰｏｗｅｒＬＥＤとＳｔａｎｂｙＬＥＤの２種類のＬＥＤの点灯、消灯、および点滅によってシステム状態を通知するものとして説明しているが、状態通知手段５０はこれに限定されるものではなく、例えばＬＣＤで表示を行う、あるいは音声により通知するなどの手段をとっても良い。
【図面の簡単な説明】
【００３１】
【図１】本発明の投射型画像表示装置において光源ランプの点灯制御に係わる構成を示す概略ブロック図である。
【図２】本発明の第一の実施形態におけるディスプレイで実行される処理を示すフローチャートである。
【図３】ＬＥＤによる状態通知を説明する図である。
【図４】本発明の第二の実施形態におけるディスプレイで実行される処理を示すフローチャートである。
【符号の説明】
【００３２】
１  ディスプレイ
１０  システムコントローラ
２０  ランプ駆動部
３０  光源ランプ
４０  ランプ点灯時間累積タイマ
５０  状態通知手段
【図１】
2006243134.tif 000003
【図２】
2006243134.tif 000004
【図３】
2006243134.tif 000005
【図４】
2006243134.tif 000006